(57)【要約】【課題】  封水部を清潔に保つと共に詰まりにくくし、しかも掃除を容易に行うことができる。【解決手段】  トラップ本体５の周壁７に下水側に連通する連通口部８を設ける。トラップ本体５内に上下端が開口する封水筒６を上方から挿入する。封水筒６の上部の外周部をトラップ本体５の周壁７の前記連通口部８よりも上に位置する部分に着脱自在に取付ける。前記封水筒６の下端を連通口部８よりも下位で且つトラップ本体５の底壁１５の上面よりも上位に配する。トラップ本体５の底壁１５の上面と封水筒６の下端との間に隙間Ｂを形成する。トラップ本体５の底壁１５の前記封水筒６の下端開口１２に対向する部位に、上方に突となり且つその突面２２ａが上側程徐々に小径となるように形成した整流用突起２２を設ける。トラップ本体５の周壁７と底壁１５とによって形成されるコーナー部２４を円弧状に形成する。【選択図】      図１
2005133314.tif 000002
【特許請求の範囲】
【請求項１】
上端が開口する容器状に形成されたトラップ本体の周壁に下水に連通する連通口部を設け、トラップ本体内に上下端が開口する封水筒を上方から挿入し、封水筒の上部の外周部をトラップ本体の周壁の前記連通口部よりも上に位置する部分に着脱自在に取付け、前記封水筒の下端を連通口部よりも下位で且つトラップ本体の底壁の上面よりも上位に配して、トラップ本体の底壁の上面と封水筒の下端との間に隙間を形成し、トラップ本体の底壁の前記封水筒の下端開口に対向する部位に、上方に突となり且つその突面が上側程徐々に小径となるように形成した整流用突起を設け、トラップ本体の周壁と底壁とによって形成されるコーナー部を円弧状に形成して成ることを特徴とする排水トラップ。
【請求項２】
上記封水筒の下端部をその内径が最下端側程拡径するように形成して成ることを特徴とする請求項１記載の排水トラップ。
【請求項３】
上記封水筒は、小径筒部と、下端が前記小径筒部の上端に連通接続されてこの下端から上方に行く程拡径するように形成してなる大径筒部と、からなる漏斗状の封水筒であって、大径筒部と小径筒部とによって形成されるコーナー部を円弧状に形成してなることを特徴とする請求項１又は請求項２記載の排水トラップ。
【発明の詳細な説明】
【技術分野】
【０００１】
本発明は、流し台のシンク、洗面台の洗面ボウル、便器等の水槽の底部、浴室やトイレ等の床等、家庭用配管設備の水槽の底部や床に設けられて下水側からの臭気を遮断する排水トラップに関するものである。
【背景技術】
【０００２】
従来の排水トラップとしては、図４に示すように家庭用配管設備の排水口４０に連通接続した排水管４１の一部をＳ字状に屈曲形成してなるＳ型の排水トラップ４２があり、このように排水管４１の一部をＳ字状に湾曲することで家庭用配管設備未使用時に排水が溜まる封水部４３を形成し、この封水部４３に溜められた水によって下水側の臭気が槽体や床側へ放散することを防止していた（例えば、特許文献１参照）。
【０００３】
ところで上記排水トラップ４２の封水部４３には水が溜められているため、菌やカビ、微生物等が繁殖し易く、これら微生物等の繁殖は封水部におけるぬめりや悪臭の原因となる。そこで排水トラップ４２の封水部４３の掃除を定期的に行う必要があるのだが、上記特許文献１に示す封水部４３は排水管４１の一部をＳ字状に湾曲させることで形成してあるため、このような排水管４３のＳ字に折り曲げた部分に手を入れてスポンジなどの掃除具で掃除することは大変困難であって封水部４３の掃除が非常に面倒であった。
【０００４】
また上記とは別に図５に示すような排水トラップ４５も知られている。この排水トラップ４５は、上端が開口する有底筒状部４６の底壁４７に下水に連通する直管状の排水筒部４８を貫設してトラップ本体４９を形成し、封水カップ５０を排水筒部４８の上端に被せるようにトラップ本体４９内に着脱自在に取付け、これにより有底筒状部４６の下部の外周側に封水部５３を形成してなるものであって、このような構成により、封水カップ５０をトラップ本体４９の上端開口５１から取り出した後、スポンジなどの掃除具により有底筒状部４６の底壁４７や周壁５２、排水筒部４８の外周側面を掃除したり、また取り出した封水カップ５０を掃除することができ、上記特許文献１に示す排水トラップ４２と比して幾分掃除が容易になる。
【０００５】
しかしながら上記図５に示す従来例にあっては、直管状の排水筒部４８が有底筒状部４６の底壁４７よりも上方に大きく突出しており、有底筒状部４６の周壁５２及び底壁５２、及び排水筒部４８とによって形成される狭い空間となった封水部５３の掃除が難しく、さらには排水筒部４８と有底筒状部４６の底壁４７とによって形成されるコーナー部５４は直角であり、また有底筒状部４６の周壁５２と底壁４７とによって形成されるコーナー部５５が直角に形成されているため、これらコーナー部５４、５５の掃除は大変難しかった。またこのようにコーナー部５４、５５が直角に形成されているため、排水時には前記のコーナー部５４、５５近傍によどみが生じて排水がスムーズに流れず、これによって、両コーナー部５４、５５（特に下流側のコーナー部５４）におけるぬめりや汚れが溜まり易く、また比較的密度の大きいゴミ等の固形物が堆積してしまい、場合によってはこの固形物により封水部５３が詰まってしまうことがあり、またこのために封水部５３の掃除を頻繁に行わなければならなかった。
【特許文献１】実開平６−８７４７４号公報
【発明の開示】
【発明が解決しようとする課題】
【０００６】
本発明は上記従来の問題点に鑑みて発明したものであって、封水部に微生物などの繁殖によるぬめりや汚れが付きにくく、また封水部にゴミ等の固形物が溜まったり、この固形物により封水部が詰まることも防止でき、しかも掃除を容易に行うことができる排水トラップを提供することを課題とするものである。
【課題を解決するための手段】
【０００７】
上記課題を解決するために本発明に係る排水トラップは、上端が開口する容器状に形成されたトラップ本体５の周壁７に下水に連通する連通口部８を設け、トラップ本体５内に上下端が開口する封水筒６を上方から挿入し、封水筒６の上部の外周部をトラップ本体５の周壁７の前記連通口部８よりも上に位置する部分に着脱自在に取付け、前記封水筒６の下端を連通口部８よりも下位で且つトラップ本体５の底壁１５の上面よりも上位に配して、トラップ本体５の底壁１５の上面と封水筒６の下端との間に隙間Ｂを形成し、トラップ本体５の底壁１５の前記封水筒６の下端開口１２に対向する部位に、上方に突となり且つその突面２２ａが上側程徐々に小径となるように形成した整流用突起２２を設け、トラップ本体５の周壁７と底壁１５とによって形成されるコーナー部２４を円弧状に形成して成ることを特徴とする。
【０００８】
このようにトラップ本体５の底壁１５の前記封水筒６の下端開口１２に対向する部位に、上方に突となり且つその突面２２ａが上側程徐々に小径となるように形成した整流用突起２２を設けることで、排水時にはこの整流用突起２２により封水筒６の下端開口１２から流出してきた排水を整流してトラップ本体５の外周側にスムーズに流すことができ、加えてトラップ本体５の前記コーナー部２４を円弧状に形成したことにより、円弧状のコーナー部２４によって整流用突起２２側からトラップ本体５の外周側に流れてきた排水を連通口部８側に整流してスムーズに流すことができ、上記により封水筒６の下端開口より隙間Ｂに流入した排水は連通口部８に至るまで乱流を起こさずにスムーズに流れることとなり、結果、トラップ本体５と封水筒６とによってトラップ本体５内の下部に形成された封水部１０に、微生物などの繁殖によるぬめりや汚れが付きにくくなり、また比較的密度の大きいゴミ等の固形物が溜まったり、封水部１０が詰まったりすることも防止でき、排水トラップ１の掃除の頻度を抑えることができる。また封水筒６をトラップ本体５に着脱自在に取付けることで、トラップ本体５及び封水筒６の掃除が容易になるのは勿論、加えて、トラップ本体５のコーナー部２４は円弧状に形成しあるためこのコーナー部２４の掃除が容易になり、またトラップ本体５の底壁１５には突面２２ａが上側程徐々に小径となるように形成された小さな整流用突起２２だけが突出しているため、トラップ本体５の底壁１５の掃除も容易になる。
【０００９】
また上記封水筒６の下端部をその内径が最下端側程拡径するように形成することも好ましい。このように封水筒６の下端部をその内径が最下端側程拡径するように形成することで、この封水筒６の下端部により封水筒６の下端開口１２より流出する排水を整流してトラップ本体５の外周側により一層スムーズに流すことができる。
【００１０】
また上記封水筒６は、小径筒部１３と、下端が前記小径筒部１３の上端に連通接続されてこの下端から上方に行く程拡径するように形成してなる大径筒部１４と、からなる漏斗状の封水筒６であって、大径筒部１４と小径筒部１３とによって形成されるコーナー部１７を円弧状に形成することが好ましい。
【００１１】
このように封水筒６を漏斗状に形成することでトラップ本体５の容積を小さくでき、加えてこの漏斗状の封水筒６の大径筒部１４と小径筒部１３とによって形成されるコーナー部１７を円弧状に形成することで、排水時には、封水筒６内の排水及びトラップ本体５と小径筒部１３との間に形成された空間Ａ内の排水をスムーズに流すことができる。
【発明の効果】
【００１２】
本発明では、封水部に微生物などの繁殖によるぬめりや汚れが付きにくく、また封水部に比較的密度の大きいゴミ等の固形物が溜まったり、封水部が詰まったりすることを防止でき、且つ排水トラップの掃除の頻度を抑えることができ、加えて排水トラップの清掃性を向上できる。
【発明を実施するための最良の形態】
【００１３】
以下、本発明を添付図面に示す実施形態に基いて説明する。図１に示す本実施形態の排水トラップ１は、シンク２の底壁部３に形成した排水口４に陥入した状態で取付けられるトラップ本体５と、トラップ本体５に着脱自在に取付けた漏斗状の封水筒６とを有している。
【００１４】
トラップ本体５は上端が開口する有底円形容器状に形成してあり、その周壁７の中間部の周方向の一部には一側方に開口し下水に連通する連通口部８を設けている。連通口部８には下流側端部が下水側の配管（図示せず）に着脱自在に連通接続される接続管部９の上流側端部を連通接続してあり、該接続管部９は下流側（先端）程下方に位置するように傾斜している。
【００１５】
トラップ本体５の周壁７の連通口部８よりも上に位置する部分には封水筒６の上端（上部であっても良い）の外周部を隙間なく着脱自在に取付けてあり、これにより連通口部８よりも下に位置するトラップ本体５及び封水筒６の部分にて図１に示す水を溜めるための封水部１０が形成される。なおこの封水筒６の取付けについては後に詳述する。
【００１６】
封水筒６は上方に開口する上端開口１１と、下方に開口する下端開口１２とを有している。具体的に封水筒６は、トラップ本体５の平面視中心部に配設した下側の小径筒部１３と、該小径筒部１３とトラップ本体５の周壁７との間の空間Ａの上方を隙間なく閉塞する上側の大径筒部１４とからなり、主部が直管状に形成された小径筒部１３の下端開口１３ａを前述の封水筒６の下端開口１２とし、大径筒部１４の上端開口１４ａを前述の封水筒６の上端開口１１としている。
【００１７】
小径筒部１３の下端は連通口部８よりも下位で且つトラップ本体５の底壁１５の上面よりも上位に配されており、トラップ本体５の底壁１５の上面と封水筒６の下端との間に隙間Ｂを形成している。また小径筒部１３の下端部はその内径が最下端側程拡径するようにラッパ口状に形成されている。
【００１８】
大径筒部１４の下端は小径筒部１３の上端に連通接続している。この大径筒部１４は下端から上方に行く程徐々に拡径するように傾斜しており、上端部は外方に突となる円弧状湾曲部１６となっている。そしてこの大径筒部１４と前述の小径筒部１３との接続部分である大径筒部１４と小径筒部１３とによって形成されるコーナー部１７は内方に突となる円弧状に湾曲形成してあり、大径筒部１４と小径筒部１３は滑らかに連続している。
【００１９】
上記封水筒６のトラップ本体５への取付けは、例えば図１に示すようにトラップ本体５の周壁７の連通口部８よりも上に位置する部分に段部１８を周設すると共に、周壁１８の前記段部１８のやや上に位置する部分に内側方に突出する突片１９を設け、この段部１８と突片１９とによりトラップ本体５の周壁７に係止溝２０を形成し、他方、封水筒６の上端部（即ち大径筒部１４の円弧状湾曲部１６の上端部）に外側方に突となる係止片２１を設け、この係止片２１を段部１８の上に配した後、封水筒６を回転操作して係止片２１を係止溝２０に差し込むと共に、該係止片２１と係止溝２０との間をゴムやパッキン等のシール部材（図示せず）にてシールすることで行われる。なお封水筒６をトラップ本体５に取付ける手段としてはこれに限定されるものではなく、例えば、トラップ本体５の周壁７の連通口部８よりも上に位置する部分に載置用段部を周設し、封水筒６の上端部に外側方に突となる鍔部を形成し、該鍔部をトラップ本体５の載置用段部にシール部材を介して隙間なく載設してあるだけでも良く、また上記したようなシール部材を設けずに、封水筒６の上端外周部をトラップ本体５の内周部に密接した状態で着脱自在に取付けても良く、つまり、トラップ本体５の周壁７の内周部と封水筒６の上端部の外周部との間に隙間がない状態で、封水筒６をトラップ本体５に着脱自在に取付けてあれば良い。
【００２０】
トラップ本体５の底壁１５の中央部、即ち前記封水筒６の下端開口１２に対向する部位には上方に突出する整流用突起２２を設けてあり、該整流用突起２２の突端は封水筒６の下端よりも下に位置している。この整流用突起２２はトラップ本体５の底壁１５の一部を上方に突曲形成してなるものであって、その突面２２ａは図１に示すように頂面が曲面となった山型の突面となるように形成してある。なお整流用突起２２の突面２２ａは上記に限定されるものではなく、例えば半球曲面状、又は球曲面の一部を切り取った様な形状（この場合、半球曲面よりも小さく切り取られたものとする）等とし、突面２２ａの全てを曲面としても良く、即ちこの突面２２ａは上側程小径となるように形成してあれば良いものとする。また突面２２ａとトラップ本体５の底壁１５の上面とによって形成されるコーナー部２３は、突面２２ａの下端部とトラップ本体５の底壁１５とが滑らかに連続するように湾曲してあっても良いし、また屈曲してあっても良いものとする。
【００２１】
またトラップ本体５の底壁１５と周壁７によって形成されるコーナー部２４は外方に突となる円弧状に湾曲形成してあり、トラップ本体５の底壁１５と周壁７とは滑らかに連続している。またこの円弧状のコーナー部２４の上端は封水筒６の下端よりも上に位置している。なお、トラップ本体５の底壁１５の上面はコーナー部２４と前記整流用突起２２を除く全ての部分が水平な平坦面となるように形成されているものとする。
【００２２】
また図中２５はトラップ本体５内の上部に配設した網かごであり、この網かご２５はトラップ本体５の周壁７の段部１８よりもさらに上に位置する部分に形成した網かご２５載置用の段部２６に網かご２５の上端外周部である上端のフランジ部２７を載置することでトラップ本体５に着脱自在に取付けられている。また図中２８は、スプーン等の小物が封水部１０に落下することを防止し、且つ封水部１０が上方から見えないようにするためのフィルタであり、該フィルタ２８は封水部１０よりも上に位置する小径筒部１４内の上部に取付けている。
【００２３】
上記の排水トラップ１をシンク２の底壁部３に形成した排水口４に取付ける場合は、例えばトラップ本体５の上端外周部である周壁７の上端に周設したフランジ部２９を排水口４の周縁部に形成したトラップ本体５載置用の段部３０に載置すると共に、該フランジ部２９を取付けナット３１により排水口４の周縁部に固定する。そしてこのように排水口４に着脱自在に取付けたトラップ本体５の接続管部９の下流側端部に下水側の排水管を接続して、排水トラップ１の施工が完了する。
【００２４】
この排水トラップ１により、シンク２未使用時にはトラップ本体５内の下部の封水部１０に水を溜めることができ、この溜められた水により下水側からの臭気の放散を防止できる。
【００２５】
そしてシンク２使用時の排水は、図２の矢印に示すようにトラップ本体５の上端開口３２より流入して封水筒６の上端開口１１に受け入れられ、封水筒６内を通って封水筒６の下端開口１２より隙間Ｂに流入し、整流用突起２２により下向きの流れが外周側（周壁７側）の流れに整流された後、トラップ本体５の底壁１５に沿って流れ、この後、トラップ本体５の外周側に流れた水はコーナー部２４にて再び整流されて上向きの流れとなり、空間Ａを通って連通口部８側へ流れ、そして連通口部８から接続管部９を介して下水側へ流出する。
【００２６】
ここで前述したようにトラップ本体５の底壁１５の封水筒６の下端開口１２に対向する部位に、上方に突となり且つその突面２２ａが上側程徐々に小径となるように形成した整流用突起２２を設けることで、排水時には整流用突起２２により封水筒６の下端開口１２から流出してきた排水を整流して（図２Ｃ部参照）トラップ本体５の外周側にスムーズに流すことができて図３に示す比較例のｃ部のような排水がよどむ部分が無くなり、加えてトラップ本体５のコーナー部２４を円弧状に形成したことにより、封水筒６から流出したトラップ本体５の外周側に流れる排水を連通口部８側にスムーズに流すことができて（図２Ｄ部参照）、図３に示す比較例のｄ部のような排水がよどむ部分が無くなり、上記により封水筒６の下端開口１２より隙間Ｂに流入した排水は連通口部８に至るまでスムーズに流れることとなり、結果、トラップ本体５と封水筒６とによってトラップ本体５内の下部に形成された封水部１０（特にトラップ本体５のコーナー部２４）に微生物などの繁殖によるぬめりや汚れが付きにくくなる。さらに本実施形態では、大径筒部１４の上端部を外方に突となる円弧状湾曲部１６とし、封水筒６の大径筒部１４を下端から上方に行く程徐々に拡径するようにラッパ口状に形成して、封水筒６を排水の流れを妨げない漏斗状に形成しているため、図３に示す比較例のような封水筒６と比して、封水筒６の上端開口１１から流入した排水が下端開口１２の下方に位置する隙間Ｂまでスムーズに流れることとなり、加えて小径筒部１３とトラップ本体５の周壁７との間の空間Ａを流れる排水までもがスムーズに流れることとなり（図２Ｅ部、図３比較例ｅ部参照）、上記により封水筒６の下端開口１２より隙間Ｂに流入した排水は連通口部８に至るまでより一層スムーズに流れることとなる。
【００２７】
上記排水トラップ１を掃除する場合は、封水筒６をトラップ本体５の上端開口１１から取り出し、この後、トラップ本体５の上端開口３２から手を入れてトラップ本体５の底壁１５や周壁７をスポンジ等の掃除具で掃除したり、またトラップ本体５内から取り出した封水筒６を掃除具などで掃除する。ここで前述のようにトラップ本体５のコーナー部２４を円弧状に形成しているため、コーナー部２４の掃除が容易であって、更にはトラップ本体５の底壁１５には図５に示す従来の排水筒部４８のように直管状の上方に大きく突出するものがなく、突面２２ａが上側程徐々に小径となるように形成された小さな整流用突起２２だけが突出しているため、トラップ本体５の底壁１５の掃除も容易になる。また本実施形態では特に整流用突起２２の突面２２ａの頂面を曲面としたので、掃除の際にスポンジなどの掃除具が引っ掛かることがなく、より一層トラップ本体５の掃除が容易になる。また封水筒６は前述したように排水の流れを妨げない漏斗状に形成してあり屈曲した部分がないため、封水筒６の掃除も容易になり、上記により排水トラップ１の清掃性を向上できる。
【００２８】
なお本実施形態では排水トラップ１を流し台のシンク２の底壁部３に設けた例を示したが、これに限定されるものではなく、排水トラップ１はその他の家庭用配管設備の底部や床に設けても良いものとする。
【図面の簡単な説明】
【００２９】
【図１】本発明の実施の形態の一例であり、排水トラップを排水口に取り付けた状態を示す断面図である。
【図２】同上の排水の流れを説明する説明図である。
【図３】排水トラップの比較例を示す説明図である。
【図４】従来の排水トラップの一例を示す説明図である。
【図５】従来の排水トラップの他例を示す説明図である。
【符号の説明】
【００３０】
Ａ  空間
Ｂ  隙間
１  排水トラップ
５  トラップ本体
６  封水筒
７  周壁
８  連通口部
１０  封水部
１２  下端開口
１３  小径筒部
１４  大径筒部
１５  底壁
１７  コーナー部
２２  整流用突起
２２ａ  突面
２４  コーナー部
【図１】
2005133314.tif 000003
【図２】
2005133314.tif 000004
【図３】
2005133314.tif 000005
【図４】
2005133314.tif 000006
【図５】
2005133314.tif 000007